(57)【特許請求の範囲】
【請求項１】
道路上に広告を表示する場合の広告料金を決定するための広告料金決定装置であって、
広告の表示候補地として設定された候補地道路の道路ＩＤと、前記道路ＩＤ毎に定められる所定の属性データとを対応付けてデータベースに登録する道路別属性データ登録手段と、
通信網を介して前記属性データを受信し、該受信された属性データを前記データベースの対応する道路の道路ＩＤに対応付けて登録して前記属性データを更新するための更新手段と、
前記データベースの登録データに基づいて広告料金を算出する広告料金算出手段と、
前記広告料金算出手段の算出した広告料金を出力する広告料金出力手段と、
を備え、
前記道路別属性データ登録手段は、前記属性データとして、前記候補地道路における道路の路線価の数値と、前記候補地道路における交通量の数値と、を前記データベースに登録し、
前記広告料金算出手段は、前記候補地道路における道路の路線価の数値に基づいて、広告の基本料金を算出し、該算出された基本料金に、前記候補地道路における単位時間当たりの交通手段の交通量の数値に応じた係数を乗算して、前記道路ＩＤ毎に広告料金を算出し、
さらに前記広告料金算出手段は、前記交通手段の交通量の数値を、朝夕の通勤時間帯、該通勤時間帯以外の昼間及び夜間の時間体毎に算出して合算し、前記夜間での交通量の値には相対的に小さな係数を乗算して算出すること
を特徴とする広告料金決定装置。
【請求項２】
さらに、前記道路別属性データ登録手段は、前記属性データとして、前記候補地道路の建設に要する建設費および道路の保守管理に要する維持費の数値を前記データベースに登録し、
前記広告料金算出手段は、前記算出された基本料金に、前記候補地道路における単位時間当たりの交通手段の交通量の数値に応じた係数と、前記候補地道路の建設に要する建設費の数値に応じた係数と、を乗算して、前記道路ＩＤ毎に広告料金を算出すること
を特徴とする請求項１記載の広告料金決定装置。
【発明の詳細な説明】
【技術分野】
【０００１】
本発明は、道路広告料金評価装置及びこれを用いたコンピュータシステム等に関し、特に、道路に広告を表示する場合の広告価値を道路毎に評価して広告料金を決定する処理を行うための装置等に関する。
【背景技術】
【０００２】
近年の通信及びコンピュータ技術の急速な進歩発展に伴い、かかる技術を利用して新たなビジネスを支援するシステムが多数出現していることは周知の通りである。
【発明の概要】
【発明が解決しようとする課題】
【０００３】
近年、各種の規制緩和政策により、高速道路や一般道路の道路空間の活用を図ることを目的とした道路空間のオープン化（民間開放）の進展が期待されている。この道路空間のオープン化では、例えば高層ビルに空間を貸与すべく、道路の上面からの建築物の高さ制限を緩和することや、各種店舗に駐車場としての空間を貸与すべく、道路の下面の空間をより広く確保することに関するものであり、かかる緩和政策により、オープン化された空間に各種建築物、設備、広告などを配置することが可能となり、企業の活性化等を促進することが期待される。
【０００４】
しかしながら、かかる規制緩和は、道路の上／下空間に関するものであり、道路の路面自体にまで及ぶものではない。これに対して、将来的には、広告に関して道路の路面自体にまで規制緩和されることが望まれる。すなわち、現在では、電車やバスの内部空間のみならず外面にまで企業の広告が塗装で表示されるようになって来たが、近い将来には、これをさらに拡張して、道路の路面自体にまで広告を表示させることが期待される。
【０００５】
一方で、道路の路面上に表示する広告の料金（広告料金）に関しては、明確な基準が定められていないため、かかる広告料についての算定基準を確立する必要がある。
【０００６】
一般に、道路所有者は広告料をできるだけ高く設定したいという要望があり、広告を希望する者（広告主）は、できるだけ効果的な場所に合理的な広告料金で広告を表示したいという要望があるものと考えられる。本発明者らは、鋭意研究の末、予想される広告効果に応じた広告料金を自動算出することにより、広告主、道路所有者、及びこれらの仲介者を支援するための広告料金決定装置等を案出した。
【課題を解決するための手段】
【０００７】
本発明の主たる構成は、道路上に広告を表示する場合の広告料金を決定するための広告料金決定装置であって、
広告の表示候補地として設定された候補地道路の道路ＩＤと、前記道路ＩＤ毎に定められる所定の属性データとを対応付けてデータベースに登録する道路別属性データ登録手段と、
通信網を介して前記属性データを受信し、該受信された属性データを前記データベースの対応する道路の道路ＩＤに対応付けて登録して前記属性データを更新するための更新手段と、
前記データベースの登録データに基づいて広告料金を算出する広告料金算出手段と、
前記広告料金算出手段の算出した広告料金を出力する広告料金出力手段と、
を備え、
前記道路別属性データ登録手段は、前記属性データとして、前記候補地道路における道路の路線価の数値と、前記候補地道路における交通量の数値と、を前記データベースに登録し、
前記広告料金算出手段は、前記候補地道路における道路の路線価の数値に基づいて、広告の基本料金を算出し、該算出された基本料金に、前記候補地道路における単位時間当たりの交通手段の交通量の数値に応じた係数を乗算して、前記道路ＩＤ毎に広告料金を算出することを特徴とする。ここで、「交通手段」には、各種自動車、電車、オートバイ、自転車などの車両のみならず、徒歩すなわち通行者も含まれるものであり、これらいずれか１以上の交通手段の交通量の数値に応じた係数を乗算するようにする。
【０００８】
他の構成では、さらに、属性データとして、候補地道路の建設に要する建設費および道路の保守管理に要する維持費の数値をデータベースに登録し、
広告料金算出手段は、算出された基本料金に、候補地道路における単位時間当たりの交通手段の交通量の数値に応じた係数と、候補地道路の建設に要する建設費の数値に応じた係数と、を乗算して、道路ＩＤ毎に広告料金を算出する。
【発明の効果】
【０００９】
本願発明によれば、属性データとして候補地道路における道路の路線価の数値及び交通量の数値を用い、路線価に基づいて基本料金が算出され、かかる基本料金に、単位時間当たりの交通手段の交通量の数値に応じた係数が乗算されることにより広告料金が算出されるので、広告効果に応じた広告料金を自動算出することができる。
【００１０】
また、他の構成では、属性データとして候補地道路の建設に要する建設費の数値を用い、路線価に基づいて算出された基本料金に単位時間当たりの交通手段の交通量の数値に応じた係数と候補地道路の建設に要する建設費および道路の保守管理に要する維持費の数値に応じた係数とが乗算されることにより広告料金が算出されるので、広告効果に応じ且つ道路所有者の経済的事情を考慮した広告料金を自動算出することができる。
【図面の簡単な説明】
【００１１】
【図１】本発明の実施の形態にかかるシステムにおいて、広告料金の決定対象となる道路上に表示される広告を模式的に示す図である。
【図２】本発明の実施の形態に適用されるネットワークシステムの構成を示すブロック図である。
【図３】図２のサーバ装置の構成を示すブロック図である。
【図４】図３の地図データベースに登録される地図レイヤの構成例を示す図である。
【図５（ａ）】図３の所有者データベースの構成を示す図である。
【図５（ｂ）】広告対象道路データベースの構成を示す図である。
【図６】図３の料金決定パラメータデータベースの構成を示す図である。
【図７】図３の広告主データベースの構成を示す図である。
【図８】図２の所有者ＰＣにおける広告道路登録画面の例を示す図である。
【図９】図２の広告主ＰＣにおける広告道路情報画面の例を示す図である。
【図１０】本発明の実施の形態にかかるシステムにおける一連の処理の流れを示すフローチャートである。
【図１１】図１０の広告料金決定処理を詳細に示すフローチャートである。
【図１２】交通量による付加価値の係数αの算出する処理の詳細の一例を示すフローチャートである。
【発明を実施するための形態】
【００１２】
本発明の実施の形態を、図面を参照しながら詳細に説明する。
【００１３】
図１は、この実施の形態において、広告料金の決定対象となる道路上に表示される広告を模式的に示す図である。図示するように、この例では、（ａ）は広告を歩道に表示した状態、（ｂ）は広告を車道に表示した状態、（ｃ）は広告を横断歩道に表示した状態を、それぞれ表している。
【００１４】
図２は、この実施の形態に適用されるネットワークシステムの構成を示すブロック図である。図示するように、このネットワークシステムは、サーバ装置１と、サーバー装置１にインターネット４を介して互いに接続される道路所有者の複数のパーソナルコンピュータ２（以下、所有者ＰＣという）及び広告主パーソナルコンピュータ３（以下、広告主ＰＣという）から構成される。
【００１５】
サーバ装置１は、道路所有者が所有する道路へ広告の表示を希望する広告主を募集し、及び広告主が道路への広告の表示を応募するためのサービスを提供する。このサービスでは、広告主を募集すべく広告を表示可能な道路が登録されたときに、該道路上に広告を表示する際の広告料金が決定される。なお、サーバ装置１が提供するサービスは、予めシステムへのユーザ登録を行った所有者及び広告主のみが利用することができる。
【００１６】
所有者ＰＣ２は、サーバ装置１が提供するサービスを利用し、所定の道路を広告の表示場所として提供することで広告料金を得るために、それぞれの道路所有者が使用する端末である。ここで、道路所有者は、法律上の所有者としては個人、法人（道路会社など）、国、都道府県、市町村などが含まれるが、所有者ＰＣ２の使用者は個人（道路所有者である法人等の構成員である個人）であることは勿論である。広告主ＰＣ３は、サーバ装置１が提供するサービスを利用し、自らの希望に合った道路を広告の表示場所として使用するために、それぞれの広告主が使用する端末である。所有者ＰＣ２及び広告主ＰＣ３としては、汎用のパーソナルコンピュータを用いることができ、或いは携帯式の各種端末装置を用いることもできる。
【００１７】
サーバ装置１は、道路への広告の表示を希望する広告主を募集するために必要なデータを管理するとともに、それぞれの所有者ＰＣ２或いは広告主ＰＣ３と情報を送受信する。サーバ装置１において行われる広告主の募集は、道路所有者からの指示に従って行われるもので、広告表示が可能な道路の登録と、広告料金の決定の処理とが行われる。
【００１８】
所有者が広告を表示可能な道路の情報をサーバ装置１に送信すると、サーバ装置１では、該道路の情報が登録されると共に、当該道路に広告を表示するための広告料金が決定される。広告料金決定においては、サーバ装置１は、道路所有者が入力した道路に関する複数の情報のそれぞれに対してパラメータを用いて広告料金を算出することができる。なお、広告料金決定の詳細については、後述する。
【００１９】
決定された広告料金で当該道路に対して広告主を募集することを所有者が希望した場合には、サーバ装置１は、該道路の登録内容を、予め登録され希望条件を満たす広告主に対してメールで通知するものとなる。メールで通知されているか否かに関わらず、ユーザ登録した広告主は、登録された道路の情報を見ることができる。そして、広告主が登録された道路への広告の表示を希望した場合には、サーバ装置１は、所有者に広告主の情報を送信するものとなる。
【００２０】
図３は、図２のサーバ装置１の構成を示すブロック図である。図示するように、サーバ装置１は、ＣＰＵ（Central Processing Unit）１１と、メモリ１２と、通信装置１３と、データ記憶部１４とを備えている。ＣＰＵ１１は、メモリ１２に記憶されたプログラムを実行し、後述するように広告主の募集のために必要な処理を行う。メモリ１２は、ＣＰＵ１１の処理プログラムを記憶すると共に、ＣＰＵ１１のワークエリアとして使用される。通信装置１３は、ネットワーク（ＬＡＮやインターネット４）を介して所有者ＰＣ２や広告主ＰＣ３などの他のコンピュータとの通信を行う。
【００２１】
データ記憶部１４は、地図データベース１４１と、所有者データベース１４２と、広告対象道路データベース１４３と、料金決定パラメータデータベース１４４と、広告主データベース１４５とを含んでいる。データ記憶部１４は、物理的にはメモリ１２の補助記憶装置の中に含まれるものであるが、本発明においては重要な役割を有するデータベースを含むものであるため、特に構成を分けて記載している。
【００２２】
地図データベース１４１は、所定の方法に従って区分した複数の地図を記憶している。図４は、地図データベース１４１に登録されている地図の構成例を示す図である。地図データベース１４１に登録されている地図は、地図レイヤとしてレイヤ構造になっている。すなわち、各レイヤの地図を地図レイヤと呼び、公共料金を決定する際には、複数の地図レイヤを必要に応じて組み合わせることによって、必要な情報を得ることができる。
【００２３】
地図レイヤの種類としては、図４（ａ）に示すように、道路価値に応じた数量で、道路毎に色分け又はテキスト（数値等）で表示する形態、図４（ｂ）に示すように、広告料金に応じた数量で、道路毎に色分け又はテキスト（数値等）で表示する形態、図４（ｃ）に示すように、広告可能な地域か否かにより、道路毎に色分け又はテキスト（広告可／不可等）で表示する形態、図４（ｄ）に示すように、交通量に応じた数量で、道路毎に色分け又はテキスト（数値等）で表示する形態、などが挙げられる。
【００２４】
このような地図レイヤは、インターネット上で公開されている各種の地図のサイトを利用して、Ｗｅｂ上に作図することが可能である。
【００２５】
所有者データベース１４２は、予めシステムへのユーザ登録を行った道路所有者に関する情報を記憶している。図５（ａ）は、図３の所有者データベース１４２の構成を示す図である。図示するように、所有者データベース１４２には、所有者ＩＤと、プロフィールと、課金情報と、登録道路とが対応付けて登録されている。
【００２６】
所有者ＩＤは、所有者がシステムへユーザ登録を行ったときに、所有者毎にサーバ装置１から発行されるものである。プロフィール及び課金情報も、所有者が所有者ＰＣ２からシステムへユーザ登録を行ったときに入力された、所有者データである。プロフィールには、所有者の連絡先（メールアドレスなど）が、課金情報には、サーバ装置１の提供するサービスの利用料金の支払いに関する情報（銀行口座番号など）が含まれる。登録道路は、所有者が広告主を募集する道路の登録を行ったときに、道路毎にサーバ装置１から発行される道路ＩＤを登録したものである。
【００２７】
広告対象道路データベース１４３は、広告主を募集する道路として所有者が登録を行った道路に関する情報を記憶している。図５（ｂ）は、広告対象道路データベース１４３の構成を示す図である。図示するように、広告対象道路データベース１４３には、広告表示の対象となる道路の道路ＩＤと、所有者ＩＤと、道路名と、道路の所在地（都道府県名、市町村名、町名（番地））と、道路の画像と、道路幅、道路長さ、該道路中に広告表示可能な領域のサイズ（広告領域長さ及び広告領域幅）と、当該道路の建設に要した建設費と、道路の保守管理に要する維持費と、が対応付けて登録されている。
【００２８】
道路ＩＤは、所有者が広告主を募集する道路の登録を行ったときに、サーバ装置１から発行されるものである。また、道路の画像と、道路の所在地と、道路の幅、道路の長さ、該道路中に広告表示可能な領域のサイズ（幅及び長さ）と、当該道路の建設に要した建設費と、道路の保守管理に要する維持費には、道路登録の際に所有者が入力したデータが登録される。
【００２９】
図６は、料金決定パラメータデータベース１４４の構成を示す図である。図示するように、料金決定パラメータデータベース１４４には、広告料金決定に必要となるパラメータに応じて、図６（ａ）〜（ｃ）に示す複数のパラメータデータベースが登録されている。
【００３０】
図６（ａ）のデータベースには、路線価に応じたエリア毎の基本料金が登録され、所在エリア〔Ａ〕と平米（ｍ２）あたりの基本料金とが対応付けて登録されている。図６（ｂ）のデータベースには、通行量〔Ｂ〕と係数〔α〕とが対応付けて登録されている。本実施形態では、図６（ｂ）のパラメータデータベースを用いて、候補地道路における単位時間当たりの交通手段（すなわち各種の車両および通行者）の交通量の数値に応じた係数が決定される。なお、図６（ｂ）のパラメータデータベースでは、「通行量」欄は、前述の交通手段の単位時間当たりの通行量（交通量）の値が登録され、これに対応する「係数」欄の値は、通行量（交通量）が多いほど大きくなるように定められており、且つ１以上の値（α≧１）である。なお、広告料金決定の場合には、必要に応じて他の付加的なパラメータデータベース（図示せず）を用いて、昼間と夜間の交通量の違いや夜間照明を考慮して、交通手段別に加重平均を用いて係数αを決定することもできる。この場合には、付加的なパラメータデータベースとして、昼間の車両通行量〔Ｂ−ａ〕と係数〔α−ａ〕とが対応付けて登録されるもの、夜間の車両通行量〔Ｂ−ｂ〕と係数〔α−ｂ〕とが対応付けて登録されるもの、昼間の自転車通行量〔Ｂ−ｃ〕と係数〔α−ｃ〕とが対応付けて登録されるもの、夜間の自転車通行量〔Ｂ−ｄ〕と係数〔α−ｄ〕とが対応付けて登録されているもの、昼間の徒歩者（人間）の通行量〔Ｂ−ｅ〕と係数〔α−ｅ〕とが対応付けて登録されるもの、夜間の徒歩者（人間）の通行量〔Ｂ−ｆ〕と係数〔α−ｆ〕とが対応付けて登録されるもの、を用いればよい。また、観光地の道路については、人気指数〔Ｂ−ｇ〕と係数〔α−ｇ〕とが対応付けて登録される付加的なパラメータデータベース、さらには季節毎の人気指数〔Ｂ−ｇ’〕と係数〔α−ｇ’〕とが対応付けて登録される付加的なパラメータデータベースを用いて、最終的な係数αの算出要素とすることもできる。
【００３１】
図６（ｃ）のパラメータデータベースには、建設（維持）費と係数〔β〕とが対応付けて登録されている。建設（維持）費は、当該道路の建設（施工）費に関する値（建設費）と、該建設された道路の保守管理に要する費用（維持費）との両方の加算値である。かかる建設（維持）費に対応する係数の値は、建設費が多いほど大きくなるように定められており、且つ１以上の値（β≧１）である。したがって、本実施の形態では、広告料金決定の場合には、道路の建設費と維持費とが加算された値を用いて係数〔β〕が決定される。
【００３２】
広告主データベース１４５は、予めシステムへのユーザ登録を行った広告主を記憶している。図７は、図３の広告主データベース１４５の構成を示す図である。図示するように、広告主データベース１４５には、広告主ＩＤと、プロフィールと、希望条件と、登録道路とが対応付けて登録されている。
【００３３】
広告主ＩＤは、広告主がシステムへユーザ登録を行ったときに、広告主毎にサーバ装置１から発行されるものである。プロフィールは、広告主が広告主ＰＣ３からシステムへユーザ登録を行ったときに入力された、広告主データである。プロフィールには、広告主の連絡先（メールアドレスなど）などが含まれる。希望条件には、所在エリアと、広告サイズ（広告領域長さ（メートル）×広告領域幅（メートル））と、広告契約期間とがあり、広告主の選択によって、広告依頼時に希望の条件が指定されたものである。登録道路は、広告対象道路データベース１４３に登録された道路の内、広告主に指定された希望条件を満たし、広告主が広告の表示を申し込んだ道路ＩＤである。なお、図７に示すように、本実施の形態では、希望条件として「道路ＩＤ」欄も設けられている。これは、広告希望者が後述のマッチング処理を希望せず、広告対象となる特定の道路（すなわち道路ＩＤ）を直接希望（指定）した場合を考慮したものである。
【００３４】
次に、所有者による広告主を募るための道路の登録手順について説明する。道路の登録には、所有者ＰＣ２からサーバ装置１にアクセスし、そこから提供される広告道路登録画面に従って必要な情報を入力することで行うものである。図８は、図２の所有者ＰＣ２における広告道路登録画面の例を示す図である。所有者は、所有者ＰＣ２の入力装置から広告道路登録画面２０の後述する項目を入力し「登録」ボタン２１を押すことで、インターネット４を介してサーバ装置１にデータを送信する。
【００３５】
図示するように、広告道路登録画面２０は、道路名の記入欄と、道路の所在地として都道府県及び市区町村のプルダウン形式の選択欄及び市区町村以降の記入欄と、道路の幅（メートル）の記入欄と、道路の長さ（メートル）の記入欄と、道路上における広告表示が可能な領域のサイズとして、広告領域幅（メートル）及び長さ（メートル）の記入欄と、画像を挿入するための「参照」ボタンと、道路の建設費（千円）の記入欄と、道路の維持費（千円）の記入欄とを含んでいる。なお、図８の広告道路登録画面２０では、「道路ＩＤ」欄があり、これは初期登録段階では入力出来ない設定とされ、初期登録すなわち道路ＩＤ発行の後のデータ修正時などの際に入力が必要となる。
【００３６】
広告道路登録画面から情報の登録を行った道路は、広告面毎にサーバ装置１のＣＰＵ１１によって複数のパラメータと該道路の登録データとを元に広告料金が算出され、広告対象道路データベース１４３に登録される。なお、同じ道路において複数の広告表示が可能である場合には、道路所有者は、それぞれの広告領域について広告道路登録画面から道路の登録を行う必要がある。
【００３７】
次に、登録された道路に対して広告主が広告表示に応募する手順について説明する。広告表示の応募をするには、道路の情報を広告主が閲覧できなければならない。図９は、図２の広告主ＰＣ３における広告道路情報画面の例を示す図である。広告主は、広告主ＰＣ３から広告道路情報画面３０を見ることによって、道路の広告料金を含む情報を確認し、希望に合った道路に対して広告の依頼を出すことができる。なお、広告道路情報画面３０は、道路の登録時に通知されたメールに張られたリンクからサーバ装置１にアクセスして、或いは道路の一覧から選んでいくことによって、広告主ＰＣ３に表示させることができる。
【００３８】
図示するように、広告道路情報画面３０は、道路ＩＤと、広告料金と、画像３１と、所在地と、道路の幅及び長さと、広告可能なサイズ（幅及び長さ）と、・・・・・の情報とが含まれている。表示を希望する広告の画像を「参照」ボタンに従って入力し、画像の下にある「イメージ合成」ボタン３２をクリックすることで、画像３１に広告の表示されたイメージ画像を表示させることができる。
【００３９】
広告道路情報画面３０の右下にある「希望」ボタン３３をクリックすると、広告主データベース１４５に道路が登録されると共に、当該道路に対応する所有者に対して、広告の表示の希望があった旨がメールで通知される。
【００４０】
以下、この実施の形態に適用されるネットワークシステムにおける処理について説明する。図１０は、本発明の実施の形態において、所有者が広告を表示可能な道路の登録を行ってから、広告主が広告の表示を応募し、これを所有者に通知するまでの一連の処理の流れを示すフローチャートである。ここでは、既に広告主ＰＣ３から広告主がユーザ登録及び希望条件の指定を、所有者ＰＣ２から所有者がユーザ登録を、サーバ装置１に済ませているものとする。
【００４１】
まず、所有者は、所有者ＰＣ２から広告道路登録画面２０において新たに登録することを希望する道路の情報の入力を行い（ステップＳ２０１）、インターネット４を介してサーバ装置１に該道路の情報を送信する（ステップＳ２０２）。道路の広告希望情報には、道路の所在地を示す所在地データと、道路の幅及び長さのデータと、道路上に広告表示が可能な領域のサイズ（幅及び長さ）データと、道路画像を示す画像データと、建設費のデータと、広告掲載期間データとが含まれる。ここで、所有者ＰＣ２は、サーバ装置１からの広告料金の受信待ちとなる。
【００４２】
サーバ装置１では、登録希望の道路の情報を所有者ＰＣ２から受信すると（ステップＳ１１１）、ＣＰＵ１１は、広告料金決定処理により該広告希望情報に従って道路における広告料金を決定する（ステップＳ１１２）。なお、広告料金決定処理については、詳細を後述する。そして、サーバ装置１のＣＰＵ１１は、インターネット４を介して所有者ＰＣ２に該決定した広告料金を送信する（ステップＳ１１３）。そして、サーバ装置１は、所有者ＰＣ２からの道路登録希望の受信待ちとなる。
【００４３】
所有者ＰＣ２では、広告料金をサーバ装置１から受信して、表示装置に表示して所有者に示す（ステップＳ２０３）。所有者は、該広告料金により道路の登録を行うかどうかの希望を入力する（ステップＳ２０４）。ここでは、道路登録希望の入力がされたものとして、以下の説明を続ける。所有者ＰＣ２は、道路登録希望をインターネット４を介してサーバ装置１に送信する（ステップＳ２０５）。そして、所有者ＰＣ２は、サーバ装置１からの広告希望登録メールの受信を待つこととなる（処理上は、待ち状態とするものではない）。
【００４４】
サーバ装置１では、道路の登録希望を所有者ＰＣ２から受信すると（ステップＳ１１４）、サーバ装置１のＣＰＵ１１は、当該道路に対し１つの道路IＤを発行し、該道路IＤと対応付けてステップＳ１１１で受信した道路の情報及びステップＳ１１２で決定された広告料金を広告対象道路データベース１４３に登録する。また、所有者データベース１４２にも道路ＩＤの登録を行う（ステップＳ１１５）。
【００４５】
そして、該登録内容と既にデータ記憶部１４の広告主データベース１４５に登録されている内容とを照らし合わせ、該登録内容が広告主の希望条件を一定のレベルまで満たす広告主がいれば、これを抽出するマッチング処理を行う（ステップＳ１１６）。ここでは、登録された道路が希望条件を満たすものとして登録した広告主が抽出されたものとして、以下の説明を続ける。
【００４６】
サーバ装置１は、マッチング処理の結果、道路の登録内容が広告主の希望条件を満たす全ての広告主を宛先として、該道路の紹介をする新規登録道路メールを作成し、送信する（ステップＳ１１７）。そして、サーバ装置１は、広告主ＰＣ３からの広告道路情報要求の受信を待つこととなる（処理上は、待ち状態とするものではない）。
【００４７】
広告主ＰＣ３では、新規登録道路メールを受信すると（ステップＳ３０１）、該広告主は、該メールの内容を確認した上で、道路の詳細情報を要求するかどうかを入力し（ステップＳ３０２）、インターネット４を介してサーバ装置１に該広告道路情報要求を送信する（ステップＳ３０３）。広告道路情報要求の入力及び送信は、例えば、メールに記載されたＵＲＬへのハイパーリンクによることができる。ここで、広告主ＰＣ３は、サーバ装置１からの広告道路情報の受信待ちとなる。
【００４８】
サーバ装置１では、広告道路情報要求を広告主ＰＣ３から受信すると（ステップＳ１１８）、サーバ装置１のＣＰＵ１１は、情報を要求した広告主に対し、該要求に対応する道路ＩＤの道路情報の詳細を、インターネット４を介して広告主ＰＣ３に送信する（ステップＳ１１９）。ここで、サーバ装置１は、広告主ＰＣ３からの表示希望情報の受信を待つこととなる。
【００４９】
広告主ＰＣ３では、ステップＳ３０２で広告道路情報要求を行った道路に対する道路の情報を受信し、広告道路情報画面３０として表示装置に表示する（ステップＳ３０４）。広告主は、道路の情報（広告料金を含む）を確認した上で、該道路において広告の表示を希望するかどうかを入力する（ステップＳ３０５）。ここでは、広告の表示を希望する旨の入力があったものとして、以下の説明を続ける。そして、広告主ＰＣ３は、インターネット４を介してサーバ装置１に該表示を希望する旨の情報を送信する（ステップＳ３０６）。そして、広告主ＰＣ３で行われる処理は終了する。
【００５０】
サーバ装置１では、広告の表示を希望する旨の情報を広告主ＰＣ３から受信すると（ステップＳ１２０）、サーバ装置１のＣＰＵ１１は、該表示希望情報の内容に従って、該広告主ＩＤに対応するデータ記憶部１４の広告主データベース１４５の登録道路に該道路ＩＤを、登録する（ステップＳ１２１）。
【００５１】
そして、サーバ装置１のＣＰＵ１１は、該道路を登録した所有者に対し、広告表示希望の登録がされた旨を示すメールを生成して、送信する（ステップＳ１２２）。そして、サーバ装置１で行われる処理は終了する。所有者ＰＣ２では、広告希望登録メールをサーバ装置１から受信する（ステップＳ２０６）。そして、所有者ＰＣで行われる処理は、終了する。このシステムで提供するサービスは、ここまでであるが、その後は、所有者と広告主との間で広告の表示に関する交渉が行われるものとなる。
【００５２】
次に、上記したステップＳ１１２の広告料金決定処理を詳しく説明する。図１１は、サーバ装置１のＣＰＵ１１がステップＳ１１２で実行する広告料金決定処理を詳細に示すフローチャートである。広告料金決定処理では、まず、所有者ＰＣ２から受信した道路の広告希望情報の所在地データから道路のエリアを特定し、該特定されたエリアに対する１平方メートル当たりの基本料金をデータ記憶部１４の料金決定パラメータデータベース１４４（図６（ａ））から読み出して、基本料金を決定する（ステップＳ１５１）。これにより、道路価基準による基本料金が決定される。
【００５３】
次に、ＣＰＵ１１は、データベースを参照して、当該エリアについて交通量データが登録されているか否かを判定し（ステップＳ１５２）、ＹＥＳすなわち存在する場合には、交通量による付加価値の係数αについて算出する処理を行い（ステップＳ１５３）、ＮＯすなわち存在しない場合には、交通量による付加価値の係数αを１に決定する（ステップＳ１５４）。
【００５４】
続いて、ＣＰＵ１１は、データベースを参照して、当該道路について建設費データが登録されているか否かを判定し（ステップＳ１５５）、ＹＥＳすなわち存在する場合には、建設費による付加価値の係数βについて算出する処理を行い（ステップＳ１５６）、ＮＯすなわち存在しない場合には、建設費による付加価値の係数βを１に決定する（ステップＳ１５７）。
【００５５】
さらに、ＣＰＵ１１は、決定された係数α及びβを乗算することにより、道路価値を決定する（ステップＳ１５８）。
【００５６】
そして、ＣＰＵ１１は、決定された道路価値（α＊β）をステップＳ１５１で決定された基本料金に乗算することにより、広告料金を決定する（ステップＳ１５９）。
【００５７】
このように、本実施形態のシステムによれば、広告料金の算出に際し交通量データに基づく係数を用いているので、広告効果に応じた広告料金を自動算出することができる。また、本実施形態のシステムによれば、広告料金の算出に際し建設費データに基づく係数を用いているので、道路所有者の要望を考慮しつつ広告効果に応じた広告料金を自動算出することができる。
【００５８】
図１２に、上述したステップＳ１５３の交通量による付加価値の係数αの算出する処理の詳細の一例を示す。かかる処理では、ＣＰＵ１１は、データベースを参照して、交通量の各種データを把握し（ステップＳ１５３０）、以下のステップＳ１５３１〜Ｓ１５３３の処理を行う。まず、ＣＰＵ１１は、当該道路に関し、県境を始点・終点として交通量を計算する（ステップＳ１５３１）。この計算は、朝夕の通勤時間帯、かかる通勤時間帯以外の昼間の時間帯、夜間の時間帯毎に計算し、例えば広告が認識し難くなる夜間の交通量の値には相対的に小さな係数を乗算し、各時間帯の交通量の合計を算出することができる。また、ＣＰＵ１１は、当該道路に関し、交通の季節ないし月毎の状態を利用して道路料金を計算する（ステップＳ１５３２）。さらに、ＣＰＵは、観光入込客数で道路の１平方メートル当たりの人気指数を計算する（ステップＳ１５３３）。
【００５９】
次に、ＣＰＵ１１は、データベースを参照して、当該道路に関し、交通手段毎の広告の認識率を計算する（ステップＳ１５３４）。具体的には、車両の速度を用いた広告の認識率（ステップＳ１５３５）、自転車の走行速度を用いた広告の認識率（ステップＳ１５３６）、歩行者の歩行速度を用いた広告の認識率（ステップＳ１５３７）を、各々計算する。
【００６０】
そして、ＣＰＵ１１は、上記計算により算出された値を用いて最終的なαの値を決定する（ステップＳ１５３８）。この係数αの最終決定は、交通手段別に加重平均を用いて算出するものであり、上述の付加的なパラメータデータベースを用いて、昼間と夜間および夜間照明を考慮したり、観光地における人気指数を考慮して算出することができる。
【符号の説明】
【００６１】
１  サーバ装置
２  所有者ＰＣ
３  広告主ＰＣ
４  インターネット
１１  ＣＰＵ
１２  メモリ
１３  通信装置
１４  データ記憶部
１４１ 地図データベース
１４２ 所有者データベース
１４３ 広告対象道路データベース
１４４ 料金決定パラメータデータベース
１４５ 広告主データベース
【図２】
0005681515.tif 000002
【図３】
0005681515.tif 000003
【図５（ａ）】
0005681515.tif 000004
【図５（ｂ）】
0005681515.tif 000005
【図６】
0005681515.tif 000006
【図７】
0005681515.tif 000007
【図９】
0005681515.tif 000008
【図１０】
0005681515.tif 000009
【図１１】
0005681515.tif 000010
【図１２】
0005681515.tif 000011
【図１】
0005681515.tif 000012
【図４】
0005681515.tif 000013
【図８】
0005681515.tif 000014